(57)【要約】  意匠性を向上した情報記録体、媒体及び冊子体を提供する。  光輝層３１と、光輝層３１の上に形成される透明層３２とを含む重畳画像を具備した情報記録体３０であって、光輝層３１は、光輝材料で形成された有彩色の画像であり、透明層３２は、透明素材で形成され、規則性を有するパターン画像であり、透明素材は、観察角度によって反射光量の異なるように構成され、重畳画像は、特定の観察角度によって透明層３２を認識可能に形成されること、を特徴とする。
2019054380.tif 000002
【特許請求の範囲】
【請求項１】
第１インキ層と、前記第１インキ層の上に形成される第２インキ層とを含む重畳画像を具備した情報記録体であって、
前記第１インキ層は、光輝材料で形成された有彩色の画像であり、
前記第２インキ層は、透明素材で形成され、規則性を有するパターン画像であり、
前記透明素材は、観察角度によって反射光量の異なるように構成され、
前記重畳画像は、特定の観察角度によって前記第２インキ層を認識可能に形成されること、
を特徴とする情報記録体。
【請求項２】
請求項１に記載の情報記録体において、
前記第１インキ層は、色の濃淡によりパターン化された濃淡パターン画像を含むこと、
を特徴とする情報記録体。
【請求項３】
請求項１又は請求項２に記載の情報記録体において、
前記第１インキ層は、複数の色により形成され、少なくとも１つの色が前記光輝材料で形成されていること、
を特徴とする情報記録体。
【請求項４】
請求項１から請求項３までのいずれかに記載の情報記録体において、
前記光輝材料により形成された複数の色の各々は、前記光輝材料の材質及び含有量の異なるものであること、
を特徴とする情報記録体。
【請求項５】
請求項１から請求項４までのいずれかに記載の情報記録体において、
前記第１インキ層は、絵柄画像と、背景画像とを含むこと、
を特徴とする情報記録体。
【請求項６】
請求項５に記載の情報記録体において、
前記背景画像は、色の濃淡によりパターン化された濃淡パターン画像であること、
を特徴とする情報記録体。
【請求項７】
請求項１から請求項６でのいずれかに記載の情報記録体において、
前記第２インキ層は、外部装置の読取部により読み取られて前記規則性に対応した変換処理をすることにより、コードに対応するデータが生成されるものであること、
を特徴とする情報記録体。
【請求項８】
請求項１から請求項７までのいずれかに記載の情報記録体を備える媒体。
【請求項９】
請求項１から請求項７までのいずれかに記載の情報記録体を備える冊子体。
【発明の詳細な説明】
【技術分野】
【０００１】
本発明は、情報記録体、媒体及び冊子体に関する。
【背景技術】
【０００２】
従来、画像等に特定の情報を埋め込む電子透かしの技術がある。この技術を印刷物に用いれば、人間が視覚で認識できないレベルで情報を埋め込むことができ、印刷物における美術的な効果を損なうことがない。また、印刷物に埋め込まれた情報は、読取装置で読み取ることができる。【０００３】
この埋め込まれた情報を、例えば、真贋判定に用いる場合には、複製物からは、埋め込まれた情報を推定されにくいものが望ましい。そのため、埋め込み情報を推定されにくいように工夫した情報記録体に関する技術が開示されている（例えば、特許文献１）。
【先行技術文献】
【特許文献】
【０００４】
【特許文献１】特開２０１６−９３８９５号公報
【発明の概要】
【発明が解決しようとする課題】
【０００５】
特許文献１に記載のものは、１層目と２層目とがいずれもパターン画像であり、意匠性に欠けるものであった。【０００６】
本発明は、意匠性を向上した情報記録体、媒体及び冊子体を提供することを目的とする。
【課題を解決するための手段】
【０００７】
本発明は、以下のような解決手段により、前記課題を解決する。
第１の発明は、第１インキ層と、前記第１インキ層の上に形成される第２インキ層とを含む重畳画像を具備した情報記録体であって、前記第１インキ層は、光輝材料で形成された有彩色の画像であり、前記第２インキ層は、透明素材で形成され、規則性を有するパターン画像であり、前記透明素材は、観察角度によって反射光量の異なるように構成され、前記重畳画像は、特定の観察角度によって前記第２インキ層を認識可能に形成されること、を特徴とする情報記録体である。
この構成により、有彩色の光輝性材料を用いることで、色ごとの光沢度合いを変えることができ、人の目で見る場合、光沢度合いが変化に富んだ情報記録体とすることができる。また、複製機での濃度等の調整がしづらくなる。よって、意匠性に富み、複製がより困難な情報記録体とすることができる。さらに、意匠性に富み、かつ、読取装置でないと情報を認識できない仕組みの情報記録体とすることができる。
第２の発明は、第１の発明の情報記録体において、前記第１インキ層は、色の濃淡によりパターン化された濃淡パターン画像を含むこと、を特徴とする情報記録体である。
濃淡パターン画像を含むことにより、色の濃度やコントラストが人の目では判別できなくなり、複製を妨げることができる。
第３の発明は、第１の発明又は第２の発明の情報記録体において、前記第１インキ層は、複数の色により形成され、少なくとも１つの色が前記光輝材料で形成されていること、を特徴とする情報記録体である。
複数色のメタリック調のインキを用いることにより、複製機での色の調整を難しくさせ、本物に似たコピー品の作製を難しくすることができる。
第４の発明は、第１の発明から第３の発明までのいずれかの情報記録体において、前記光輝材料により形成された複数の色の各々は、前記光輝材料の材質及び含有量の異なるものであること、を特徴とする情報記録体である。
第５の発明は、第１の発明から第４の発明までのいずれかの情報記録体において、前記第１インキ層は、絵柄画像と、背景画像とを含むこと、を特徴とする情報記録体である。
第６の発明は、第５の発明の情報記録体において、前記背景画像は、色の濃淡によりパターン化された濃淡パターン画像であること、を特徴とする情報記録体である。
第７の発明は、第１の発明から第６の発明までのいずれかの情報記録体において、前記第２インキ層は、外部装置の読取部により読み取られて前記規則性に対応した変換処理をすることにより、コードに対応するデータが生成されるものであること、を特徴とする情報記録体である。
第８の発明は、第１の発明から第７の発明までのいずれかの情報記録体を備える媒体である。
第９の発明は、第１の発明から第７の発明までのいずれかの情報記録体を備える冊子体である。
【発明の効果】
【０００８】
本発明によれば、意匠性を向上した情報記録体、媒体及び冊子体を提供することができる。
【図面の簡単な説明】
【０００９】
【図１】本実施形態に係るカードを説明するための図である。
【図２】本実施形態に係る光輝層の背景画像及び星形画像の例を示す図である。
【図３】本実施形態に係る透明層のパターン画像の例を示す図である。
【図４】本実施形態に係る情報記録体の構造に基づく観察態様を説明するための図である。
【図５】本実施形態に係るカードのコピー時の照明光源とカメラとの位置関係を説明するための図である。
【図６】本実施形態に係る読取装置の機能ブロック図である。
【図７】本実施形態に係る読取装置でのコード特定処理を示すフローチャートである。
【図８】本実施形態に係る他のカードの具体例を示す図である。
【図９】本実施形態に係る他のカードの具体例を示す図である。
【図１０】本実施形態に係る他のカードの具体例を示す図である。
【発明を実施するための形態】
【００１０】
以下、本発明を実施するための形態について、図を参照しながら説明する。なお、これは、あくまでも一例であって、本発明の技術的範囲はこれに限られるものではない。
（実施形態）
図１は、本実施形態に係るカード１０を説明するための図である。
＜カード１０＞
図１（Ａ）に示すカード１０（媒体）は、例えば、社員証等のＩＤ証である。カード１０は、ベース１１と、情報記録体３０とを備える。
ベース１１は、カード１０の基礎となる基材であり、例えば、プラスチックカードから形成される。なお、ベース１１は、プラスチックカードに限らず、印刷画像を担持できる平面を有していればよく、白色用紙、上質紙、コート紙、タック紙、フィルム等、他のものであってもよい。印刷画像は、この例では、社員の氏名、顔画像、所属等、社員の内容に関するものである。
【００１１】
＜情報記録体３０の構造＞
ベース１１の表面側には、例えば、ロゴを表す情報記録体３０を有する。情報記録体３０は、潜像印刷によって、例えば、コード等の真贋判定に用いる情報が印刷されたものである。情報記録体３０に印刷された画像は、ベース１１の観察方向を変えることで変わるものである。
図１（Ｂ）は、図１（Ａ）におけるＸ−Ｘ方向断面の部分模式図である。図１（Ｂ）に示すように、情報記録体３０は、ベース１１上に、光輝層３１（第１インキ層）と、透明層３２（第２インキ層）とを備える。
光輝層３１は、光輝性材料を含む有彩色のインキによって、背景画像及び絵柄画像が印刷された層である。
透明層３２は、透明な無彩色のインキによって、パターン画像が印刷された層である。この例では、光輝層３１と、透明層３２とは、いずれも正方形状であり、透明層３２は、光輝層３１の全体に形成されている。
【００１２】
ここで、情報記録体３０の製造方法を、簡単に説明する。
まず、該当する社員の内容（氏名等）を予め印刷済のベース１１を用意し、ベース１１の上に光輝層３１として、光輝性材料を含む光沢インキ等で、背景画像及び絵柄画像をグラビア印刷する。背景画像及び絵柄画像を描くインキは、例えば、以下に例示するように、様々な種類のインキが想定される。
例えば、アルミニウム粉末、銅粉末、亜鉛粉、錫粉、又はリン化鉄等を成分とする銀色インキに、顔料や染料を含む有色色素の有彩色のインキを混合したインキであってよい。
また、青味金色又は赤味金色を示す光輝性材料のみのインキであってもよい。
さらに、青味金色又は赤味金色を示す光輝性材料のインキに、上述した有色色素の有彩色のインキを混合したものであってもよい。
また、光を反射させることで色彩が変化する機能性顔料を含んだインキである、パールインキ、液晶インキ、ＯＶＩ（Ｏｐｔｉｃａｌ  Ｖａｒｉａｂｌｅ  Ｉｎｋ）、ＣＳＩ（Ｃｏｌｏｒ  Ｓｈｉｆｔｉｎｇ  Ｉｎｋ）等であってもよい。なお、パールインキは、通常の顔料と比較して真珠光沢を有し、その安全性、光沢性、高級感を有するパール顔料を含んでなるインキである。液晶インキは、温度で色が変わる特性を持つ液晶を含んでなるインキである。
さらに、基材の平滑度が高ければ、通常のインキを用いて、光沢性を備えるインキに見えるようにして用いることができる。基材の平滑度が高いと、通常の色インキ（Ｙ（イエロー）、Ｍ（マゼンタ）、Ｃ（シアン）、Ｋ（ブラック））による光輝のない黄色や水色等でも、多少の光沢感が出てくる。このため、通常の色インキを、光輝材料と似たようなインキとして使用することができる。例えば、基材が紙の場合は、コート紙、マットコート紙、グロスコート紙等であれば平滑度が高いので、通常の色インキを使用できる。また、基材がＰＥＴ等のフィルムの場合においても、通常の色インキを使用できる。
【００１３】
次に、この光輝層３１の背景画像及び絵柄画像の上に、透明層３２として、透明なインキ等でパターン画像を重ねてグラビア印刷する。パターン画像を描くインキは、例えば、マットＯＰニス、透明ニス、インキワニス、透明インキ又はメジウムインキ等の無彩色のインキである。なお、これらのインキは、紫外線硬化型インキ、酸化重合型インキ、浸透型インキ、過熱乾燥型インキ、蒸発乾燥型インキ等のいずれの印刷インキであってもよい。
また、無彩色でなくとも、有彩色の透明インキであってもよい。この場合、無彩色な透明インキに通常の色インキを少量混ぜて、有彩色の透明インキとする。
【００１４】
ここで、塗布するインキの厚さは、いずれも、例えば、１マイクロメートル程度である。なお、インキの厚さは、これに限定するものではない。また、例えば、材料によって、インキの厚さを変えてもよい。
上述の印刷工程は、グラビア印刷に限らず、ウェットオフセット印刷、ドライオフセット印刷、凸版印刷、水無平版印刷、フレキソ印刷、スクリーン印刷及び凹版印刷等であってもよい。
【００１５】
次に、情報記録体３０の印刷工程で印刷される一定面積の印刷領域において、下地を隠蔽しうる面積を％で表した印刷条件を面積率とし、特に網点で下地を隠しうる場合を網点面積率として、光輝層３１及び透明層３２の印刷を説明する。
図２は、本実施形態に係る光輝層３１の背景画像Ｃ１ａ及び星形画像Ｃ１ｂの例を示す図である。
図３は、本実施形態に係る透明層３２のパターン画像の例を示す図である。
図４は、本実施形態に係る情報記録体３０の構造に基づく観察態様を説明するための図である。
【００１６】
図２は、光輝層３１の画像Ｃ１の例を示す。光輝層３１は、グラビア印刷のＣＭＹＫ（Ｃｙａｎ−Ｍａｇｅｎｔａ−Ｙｅｌｌｏｗ−ｂｌａｃＫ）インキを、各々メタリック調のインキに置き換えて、画像Ｃ１を印刷した層である。ここで、Ｙ（イエロー）、Ｍ（マゼンタ）、Ｃ（シアン）の３色に、Ｋ（ブラック）を加えた４色を一組にして、それぞれの色を重ね刷りすることによって、多彩色を表現している。
Ｃは、メタリック調の水色を、Ｍは、メタリック調の赤色を、Ｙは、メタリック調の黄色を、Ｋは、銀色を、ＣＭＹＫインキから置き換える。ここで、各色は、同じ光輝性材料を用いる必要はなく、異なる光輝性材料を用いてもよい。また、光輝性材料の含有量は、色ごとに異なってもよい。
【００１７】
色ごとに異なる光輝性材料を用い、含有量を異ならせることで、色ごとの光沢度合いが変わる。そのため、見た目に、光沢度合いが変化に富んだものにできる。また、複製機での濃度等の調整がしづらくなり、複製がよりしづらいものにできる。
【００１８】
画像Ｃ１は、背景画像Ｃ１ａと、星形画像Ｃ１ｂ（絵柄画像）とを含む。
背景画像Ｃ１ａは、色の濃淡によりパターン化されたパターン画像である。背景画像Ｃ１ａのパターン画像は、色の濃度やコントラスト等が、人の目では分からない程度に規則的な処理がされている。
星形画像Ｃ１ｂは、星形の画像である。星形画像Ｃ１ｂは、パターン画像ではないため、星形の絵柄をくっきりと見えるようにできる。
背景画像Ｃ１ａと、星形画像Ｃ１ｂとは、同じ色であってもよいし、異なる色であってもよい。
【００１９】
背景画像Ｃ１ａは、例えば、網点面積率１００％の印刷がされている。そして、星形画像Ｃ１ｂは、例えば、網点面積率７５％の印刷がされている。但し、この割合は、一例であって、これに限定されない。例えば、背景画像Ｃ１ａの網点面積率は、１００％未満であってもよく、また、星形画像Ｃ１ｂの網点面積率は、背景画像Ｃ１ａとの間で所定の差があれば、網点面積率２５％以上であっても以下であってもよい。また、背景画像Ｃ１ａと、星形画像Ｃ１ｂとの疎密が逆であってもよい。
図２に示す例では、光輝層３１に示される画像Ｃ１の一例として、背景画像Ｃ１ａと、星形画像Ｃ１ｂとは、それぞれ本技術を用いて印刷をしている。上述したとおり、メタリック調のインキを用いているため、画像Ｃ１の印刷は、光沢のあるものになっている。また、複数の有彩色を用いた印刷であるため、見た目に鮮やかなものになり、意匠性に富んだものになっている。
【００２０】
図３（Ａ）は、透明層３２の画像Ｃ２及びその一部である領域Ｅ２を拡大したものを示す。透明層３２は、画像Ｃ２が印刷された層である。画像Ｃ２は、領域Ｅ２に示すように、前景部Ｃ２ａと、背景部Ｃ２ｂとを２値で表したパターン画像である。
この画像Ｃ２のパターン画像は、上述した背景画像Ｃ１ａのパターン画像とは、コード体系が異なる。画像Ｃ２のパターン画像の詳細については、後述する。
【００２１】
前景部Ｃ２ａは、例えば、網点面積率１００％の印刷がされており、背景部Ｃ２ｂは、例えば、網点面積率２５％の印刷がされている。但し、この割合は、一例であって、これに限定されない。例えば、前景部Ｃ２ａの網点面積率は、１００％未満であってもよく、また、背景部Ｃ２ｂの網点面積率は、前景部Ｃ２ａとの間で所定の差があれば、網点面積率２５％以上であっても以下であってもよい。また、前景部Ｃ２ａと、背景部Ｃ２ｂとの疎密が逆であってもよい。
このような、情報記録体３０の透明層３２の画像Ｃ２は、パターン画像であるので、人が一見しただけでは意味のない画像である。
【００２２】
ここで、情報記録体３０の透明層３２は、前景部及び背景部からなるパターン画像が印刷されているものに限定されない。
図３（Ｂ）は、透明層３２の画像Ｃｙが、前景部のみからなるパターン画像である場合を示す。この場合、画像Ｃｙの印刷領域Ｃｙａを網点面積率１００％で印刷し、印刷領域Ｃｙａと、印刷しない非印刷領域Ｃｙｂとによって、２値でパターン画像を表したものになる。
【００２３】
次に、図３（Ａ）、（Ｂ）に示される透明層３２のパターン画像について説明する。
パターン画像は、特定の規則によって生成された画像である。パターン画像は、例えば、フーリエ変換を行うことで周波数変換した空間周波数領域に、特徴的な点や線を表すことができるものである。画像Ｃ２（又は画像Ｃｙ）に対して変換処理を行うことによって、例えば、特徴的な点を表すことができる。
ここで、特定の規則は、フーリエ変換に限定されるものではなく、他の変換処理であってもよい。例えば、バーコードに対する変換処理や、ＱＲコード（登録商標）等の二次元コードに対する変換処理等であってもよい。
【００２４】
上述の情報記録体３０は、観察する視点の角度（観察角度）によって、後述する読取装置５（外部装置）において認識可能な画像が変化する。
図４は、拡散反射領域及び正反射（鏡面反射）領域での照明光源２１と、視点２２と、情報記録体３０との３つの位置関係を図示したものである。照明光源２１と情報記録体３０との位置に対して、位置Ｐ１に視点２２（２２ａ）があるとき、拡散反射領域で観察したことになる。また、照明光源２１と情報記録体３０との位置に対して、位置Ｐ２に視点２２（２２ｂ）があるとき、正反射領域で観察したことになる。
以下において、図２及び図３（Ａ）に示す画像Ｃ１及び画像Ｃ２を例に説明する。
【００２５】
情報記録体３０が光輝層３１のみからなる場合には、拡散反射領域においては、図２の画像Ｃ１の背景画像Ｃ１ａと星形画像Ｃ１ｂとの疎密差により反射光量に大きく差が生じるため、背景画像Ｃ１ａと星形画像Ｃ１ｂとが区別でき、星形画像Ｃ１ｂが認識できる。他方、正反射領域においては、背景画像Ｃ１ａと星形画像Ｃ１ｂとが共に反射光量が大きくなるため、その差を感知できず、背景画像Ｃ１ａと星形画像Ｃ１ｂとは、区別できなくなる。つまり、正反射領域においては、星形画像Ｃ１ｂが認識できない。
このように、光輝層３１は、光輝性材料のインキを用いることで、星形画像Ｃ１ｂが観察角度によって見えたり見えなかったり、と様々な見せ方をさせることができる。
【００２６】
次に、情報記録体３０が透明層３２のみからなる場合には、拡散反射領域においては、図３（Ａ）の前景部Ｃ２ａと背景部Ｃ２ｂとは、透明なため区別できない。他方、正反射領域においては、前景部Ｃ２ａと背景部Ｃ２ｂとの疎密差で反射光量が変わるため、前景部Ｃ２ａと背景部Ｃ２ｂとが区別できる。
このように、透明層３２は、観察角度によって反射光量が異なる材料（インキ等）を用いることで、透明層３２の画像は、観察角度によって見えたり見えなかったり、と様々な見せ方をさせることができる。
【００２７】
そして、情報記録体３０が光輝層３１上に透明層３２が形成されたものである場合には、拡散反射領域においては、画像Ｃ１が区別でき、前景部Ｃ２ａと背景部Ｃ２ｂとが区別できないため、全体としては、画像Ｃ１が観察される。また、正反射領域においては、画像Ｃ１は区別できず、前景部Ｃ２ａと背景部Ｃ２ｂとが区別できる。
そのため、情報記録体３０は、観察角度によって、光輝層３１と透明層３２との画像が見えたり見えなかったりと、様々な見せ方をさせることができる。
【００２８】
＜カード１０の複製＞
次に、カード１０が複製された場合について説明する。
図５は、本実施形態に係るカード１０のコピー時の照明光源２１とカメラ２３との位置関係を説明するための図である。
図５（Ａ）及び図５（Ｂ）は、コピー機等の複製機の照明光源２１とカメラ２３とカード１０との位置関係を示す。カード１０の情報記録体３０は、図５（Ａ）又は図５（Ｂ）に示す照明光源２１から光が照射された状態で、カメラ２３によってその画像が取得される。
【００２９】
図５（Ａ）は、照明光源２１とカメラ２３とが情報記録体３０に対して垂直方向に位置して、カメラ２３が画像を取得する場合である。また、図５（Ｂ）は、照明光源２１が情報記録体３０に対してやや斜め方向から照射し、カメラ２３が情報記録体３０に対して垂直方向から撮影して画像を取得する場合である。いずれの場合においても、カメラ２３には、照明光源２１と情報記録体３０との位置関係によって、情報記録体３０の光輝層３１と透明層３２との両方の画像が捉えられる。
このようにして、カメラ２３が得た画像をもとに、複製機では、カード１０のコピー品が作製される。
【００３０】
そして、コピー品は、カード１０の情報記録体３０（図１（Ａ）参照）に対応する位置に、印刷体を有するものになる。印刷体は、情報記録体３０の光輝層３１が有する画像と、透明層３２が有するパターン画像との合成画像を有する。よって、印刷体は、いずれの領域（拡散反射領域、正反射領域等）からの観察角度で観察した場合であっても、印刷体は、合成画像のみが見えるものになる。よって、印刷体は、透明層３２が有するパターン画像のみを観察できない。
【００３１】
また、カード１０をモノクロ印刷した場合には、印刷体は、一般的なカーボンを含む黒色インキからなる層を有する。他方、カード１０をカラー印刷した場合には、印刷体は、一般的なＣＭＹＫインキからなる層を有する。
他方、上述したように、カード１０の情報記録体３０の光輝層３１は、メタリック調のインキを用いて作製されたものである。
よって、複製機では、メタリック調のインキにより表された色の調整がしづらくなり、コピー品の印刷体は、本物のカード１０の情報記録体３０とは、色味が異なるものになる。また、複製機では、透明なインキのコピーがしづらい。そのため、コピー品は、色の違いによって偽物であることが一見して把握できるものになる。
【００３２】
＜読取装置５＞
次に、カード１０の情報記録体３０からコードを読み取る読取装置５（外部装置）について説明する。
図６は、本実施形態に係る読取装置５の機能ブロック図である。
読取装置５は、例えば、スマートフォンに代表される携帯端末である。
読取装置５は、制御部５０と、記憶部６０と、読取部６５と、タッチパネルディスプレイ６７と、通信インタフェース部６９とを備える。
制御部５０は、読取装置５の全体を制御するＣＰＵ（中央処理装置）である。制御部５０は、記憶部６０に記憶されているＯＳ（オペレーティングシステム）やアプリケーションプログラムを適宜読み出して実行することにより、上述したハードウェアと協働し、各種機能を実行する。
制御部５０は、画像受付部５１と、変換部５３と、コード特定部５５とを備える。
【００３３】
画像受付部５１は、情報記録体３０を読取部６５が読み取ることで、読取部６５を介して情報記録体３０の画像データを受け付ける。
変換部５３は、後述する変換アプリ６１ｂを用いて、画像受付部５１が受け付けた画像データに対して所定の変換を行い、コード生成のためのデータを取得する。
コード特定部５５は、コードテーブル６３を参照して、変換部５３により取得されたデータからコードを特定する。
【００３４】
記憶部６０は、制御部５０が各種の処理を実行するために必要なプログラム、データ等を記憶するためのハードディスク、半導体メモリ素子等の記憶領域である。
なお、コンピュータとは、制御部、記憶装置等を備えた情報処理装置をいい、読取装置５は、制御部５０、記憶部６０等を備えた情報処理装置であり、コンピュータの概念に含まれる。
記憶部６０は、プログラム記憶部６１と、コードテーブル６３とを記憶している。
プログラム記憶部６１は、各種のプログラムを記憶する記憶領域である。プログラム記憶部６１は、制御プログラム６１ａと、変換アプリ６１ｂとを記憶する。制御プログラム６１ａは、制御部５０の各機能を実行するためのプログラムである。変換アプリ６１ｂは、制御プログラム６１ａから呼び出される、コードを読み取るための専用アプリである。制御プログラム６１ａ及び変換アプリ６１ｂは、通信インタフェース部６９を介して、例えば、図示しないアプリ配信サーバからダウンロードして、プログラム記憶部６１に記憶される。
コードテーブル６３は、コードを記憶したテーブルである。
【００３５】
読取部６５は、例えば、カメラであって、画像や文字等の印刷内容を画像として取得する装置である。カード１０の情報記録体３０は、読取装置５の読取部６５によって読み取られる。
タッチパネルディスプレイ６７は、液晶パネル等で構成される表示部としての機能と、ユーザの指等によるタッチ入力を検出する入力部としての機能とを有する。
通信インタフェース部６９は、例えば、上述した配信サーバ等との間で通信を行うためのインタフェースである。
【００３６】
＜読取装置５の処理＞
次に、読取装置５の処理について説明する。
図７は、本実施形態に係る読取装置５でのコード特定処理を示すフローチャートである。
ステップＳ（以下、単に「Ｓ」という。）１０において、読取装置５の制御部５０は、読取部６５を起動させる。
Ｓ１１において、制御部５０（画像受付部５１）は、読取部６５を介して情報記録体３０に有する画像を読み取る。
ここで、ユーザは、読取部６５の位置を、情報記録体３０の透明層３２が有するパターン画像を読取可能な角度にして、読取部６５に画像を読み取らせることができる。また、ユーザは、読取部６５の位置を、情報記録体３０の光輝層３１が有する画像を読取可能な角度にして、読取部６５に画像を読み取らせることができる。さらに、ユーザは、読取部６５の位置を、情報記録体３０の光輝層３１及び透明層３２の両方が有する画像を読取可能な角度にして、読取部６５に画像を読み取らせることができる。
コードを特定する場合、ユーザは、透明層３２が有するパターン画像を読取可能な角度から、読取部６５に画像を読み取らせるために、例えば、透明層３２が視認可能な正反射領域を特定して、画像を読み取るための操作を行う。
【００３７】
Ｓ１２において、制御部５０（変換部５３）は、読み取った画像に対して変換処理を行い、コード生成のためのデータを取得する。ここで、変換処理は、変換アプリ６１ｂにより実行される。
Ｓ１３において、制御部５０（コード特定部５５）は、コードテーブル６３を参照して、取得したデータに対応するコードが特定できたか否かを判断する。コードテーブル６３に取得したデータに一致するものがある場合には、コードが特定できる。コードが特定できた場合（Ｓ１３：ＹＥＳ）には、制御部５０は、処理をＳ１４に移す。他方、コードが特定できなかった場合（Ｓ１３：ＮＯ）には、制御部５０は、処理をＳ１４ａに移す。
Ｓ１４において、制御部５０は、コードを特定できた旨を、タッチパネルディスプレイ６７に表示させる。その後、制御部５０は、本処理を終了する。なお、本処理を終了後、制御部５０は、特定したコードに基づく処理を行う。
他方、Ｓ１４ａにおいて、制御部５０は、エラーである旨を、タッチパネルディスプレイ６７に表示させる。その後、制御部５０は、本処理を終了する。
【００３８】
ユーザが、読取装置５を用いて、透明層３２のパターン画像のみを読取可能な角度から読取部６５が画像を読み取った場合には、制御部５０は、透明層３２のパターン画像のみを得る。そして、制御部５０は、変換アプリ６１ｂを実行して（Ｓ１２）、コードを特定するためのデータを取得する。ここで、透明層３２のパターン画像に対応するコードは、コードテーブル６３に記憶されているので、制御部５０は、コードが特定できる（Ｓ１３：ＹＥＳ）。
【００３９】
また、ユーザが、読取装置５を用いて、透明層３２のパターン画像と、光輝層３１の画像とを読取可能な角度から読取部６５が画像を読み取った場合には、制御部５０は、透明層３２のパターン画像のみを得ることがない。しかし、光輝層３１の画像に含まれるパターン画像は、透明層３２のパターン画像とは異なるコード体系である。そのため、制御部５０は、変換アプリ６１ｂを実行すると（Ｓ１２）、透明層３２のパターン画像に対応するコードを特定するためのデータを取得できる。そして取得したデータに対するコードは、コードテーブル６３に記憶されているので、制御部５０は、コードが特定できる（Ｓ１３：ＹＥＳ）。
【００４０】
他方、ユーザが、読取装置５を用いて、光輝層３１の画像のみを読取可能な角度から読取部６５が画像を読み取った場合には、制御部５０は、透明層３２のパターン画像を得ることがない。コードテーブル６３には、透明層３２のパターン画像に対応するコードのみが記憶されており、光輝層３１の画像に対応するコードは、記憶されていない。よって、制御部５０は、制御プログラム６１ａにより、コード生成のためのデータを取得しても（Ｓ１２）、コードを特定できない（Ｓ１３：ＮＯ）。
なお、光輝層３１の画像のみを読取可能な角度から読取部６５が画像を読み取った場合であっても、制御部５０は、変換アプリ６１ｂを実行して、コード生成のためのデータを取得する処理を行う（Ｓ１２）。
【００４１】
次に、情報記録体３０の他の例について説明する。なお、説明に際しては、上述した情報記録体３０と同じ機能を果たす部分には、末尾に同一の符号を付して、重複する説明を適宜省略し、上述した情報記録体３０と異なる構成について、詳細に説明する。
図８から図１０までは、本実施形態に係る他のカード１０の具体例を示す図である。
図８（Ａ）は、カード１０−２の例を示す。
カード１０−２は、情報記録体３０−２が、ベース１１上に、光輝層３１と、透明層３２−２とによって構成されたものである。
図８（Ｂ）は、図８（Ａ）におけるＸ−Ｘ方向断面の部分模式図である。図８（Ｂ）に示すように、情報記録体３０−２の透明層３２−２は、光輝層３１の一部に形成される。
このように、情報記録体３０−２は、光輝層３１が形成された領域と、透明層３２−２が形成された領域とが、平面視で一致せず、大きさが異なる。このようにすることで、光輝層３１が観察されている状態と、透明層３２−２が観察されている状態とが、より判別しやすくなり、透明層３２−２が観察できる角度を、見た目で分かりやすいものにできる。
なお、図８では、光輝層３１と、透明層３２−２との大きさのみが異なるものを例に示したが、これに限定されない。大きさが同じであって、ずれて配置されたものであってもよいし、透明層３２−２の形状と、光輝層３１の形状とが異なるものであってもよい。
【００４２】
図９（Ａ）は、カード１０−３の例を示す。
カード１０−３は、上述で説明したカード１０に加えて、さらに顔写真部分を、情報記録体３０−３にしたものである。
図９（Ｂ）は、図９（Ａ）におけるＸ１−Ｘ１方向断面の部分模式図である。図９（Ｂ）に示すように、情報記録体３０−３は、情報記録体３０とほぼ同様に、ベース１１上に、光輝層３１−３と、透明層３２とを備える。光輝層３１−３は、背景画像と、顔画像とからなる。顔画像は、パターン画像ではないため、顔画像をはっきりと認識できる。
このように、情報記録体３０及び情報記録体３０−３を有する場合には、読取装置５での処理において、情報記録体３０と、情報記録体３０−３との関連を使用してもよい。
例えば、読取装置５の処理において、制御部５０（画像受付部５１）は、情報記録体３０と、情報記録体３０−３とを読み取る。そして、制御部５０（変換部５３）は、情報記録体３０と、情報記録体３０−３と両方のコード生成のためのデータを取得する、そして、両者のデータの一致性を確認し、一致した場合に、制御部５０は、カード１０−３が偽造されたものではなく、正しいものして、例えば、コードを特定する処理を行うようにしてもよい。
【００４３】
図１０（Ａ）は、カード１０−４の例を示す。
カード１０−４は、上述で説明したカード１０と比較して星形画像をよりくっきりと見えるようにしたものである。
図１０（Ｂ）は、図１０（Ａ）におけるＸ−Ｘ方向断面の部分模式図である。図１０（Ｂ）に示すように、情報記録体３０−４は、ベース１１上に、光輝層３１と、透明層３２−４とを備える。透明層３２−４は、図１０（Ｃ）に示すように、光輝層３１の星形画像に重なる領域を、未印刷領域Ｃ３として印刷しないようにしたため、画像Ｃ２のパターン画像を有さない。
このように、情報記録体３０−４は、光輝層３１のうち星形画像が印刷された領域には、透明層３２−４を有さないようにするので、光輝層３１の星形画像がよりくっきりと見えると同時に、星形画像に重ならない領域は、透明層３２−４を有することで、複製をよりしづらいものにできる。
【００４４】
このように、本実施形態によれば、以下のような効果がある。
（１）情報記録体３０は、光輝層３１をメタリック調のインキを用いた有彩色の印刷層にしたので、情報記録体３０が着色及び光沢のあるものになり、意匠性が格段に向上する。
また、透明なインキを用いた印刷層である透明層３２に形成されるパターン画像である画像Ｃ２を、見た目に認識しづらいものにできる。
そして、光輝層３１に重ねて透明層３２を配置するので、透明層３２を、さらに見た目に認識しづらくできる。
【００４５】
（２）光輝層３１を、複数の色により形成し、画像Ｃ１を、星形画像Ｃ１ｂと、背景画像Ｃ１ａとを含むように構成するので、星形画像Ｃ１ｂによって、意匠性をさらに向上できる。
また、光輝層３１では、複数色のメタリック調のインキを用いるため、複製機での色の調整を難しくさせ、本物に似たコピー品の作製を難しくでき、偽造防止になる。
（３）画像Ｃ１は、光輝層３１に有し、画像Ｃ２は、透明層３２が有するものであるので、情報記録体３０の観察角度によって、画像Ｃ１と、画像Ｃ２とを切り替えて観察できる。
（４）透明なインキを用いた印刷層である透明層３２は、正反射領域では、パターン画像である画像Ｃ２が認識できる。よって、透明層３２の画像Ｃ２を観察できる観察角度で画像を読み取れば、変換処理によってコードを読み取ることができる。
【００４６】
（５）読取装置５によって、透明層３２の画像Ｃ２が見える観察角度で情報記録体３０を読み取ることで、読取装置５は、画像Ｃ２を変換処理して取得したデータからコードを読み取ることができる。
そして、光輝層３１のパターン画像である背景画像Ｃ１ａも見える観察角度で情報記録体３０を読み取っても、光輝層３１の背景画像Ｃ１ａと、透明層３２のパターン画像である画像Ｃ２とは、コード体系が異なるため、変換処理をして取得したデータを、光輝層３１の背景画像Ｃ１ａからのデータが阻害しない。よって、観察角度がより広範囲であっても対応でき、情報記録体３０は、読取がしやすいものにでき、ひいては真贋判定がしやすくできる。
【００４７】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４８】
（変形形態）
（１）本実施形態では、光輝性材料を含む有彩色のインキによる光輝層３１と、透明な無彩色のインキによる透明層３２からなる情報記録体３０を例に説明したが、これに限定されない。例えば、透明層３２は、無彩色でなくても有彩色であってもよい。但し、透明層３２は、パターン画像であり、見えにくい方が好ましいため、有彩色であっても淡い色が望ましい。
また、光輝層３１を形成するために、複数色のインキを用いるものを例に説明したが、単色のインキを用いるものであってもよい。
【００４９】
（２）本実施形態では、光輝層３１及び透明層３２を正方形状であるものとして説明したが、これに限定されない。光輝層３１及び透明層３２は、長方形状や、円形状、楕円形上等、他の形状であってもよい。また、光輝層３１の絵柄画像を、星の絵柄として説明したが、ハートの絵柄や、三角形等、他の形状や絵柄であってもよい。
【００５０】
（３）本実施形態では、光輝層３１を、背景画像と、絵柄画像とからなるものを例に説明したが、これに限定されない。例えば、背景画像を、絵柄画像の縁取り部分にしてもよい。
また、背景画像は、パターン画像とし、絵柄画像は、パターン画像ではないものを例に説明したが、これに限定されない。
但し、絵柄画像をパターン画像にすると、絵柄画像の色味が損なわれるため、パターン画像ではない方が望ましい。また、背景画像をパターン画像ではないものにすると、情報を含めることができないため、パターン画像にして情報を入れられるようにする方が望ましい。なお、光輝層３１の背景画像であるパターン画像から情報を読み取るには、読取装置５には、上述した変換アプリとは別の変換アプリが必要になる。
【００５１】
（４）本実施形態では、光輝層３１の上に、直接透明層３２を形成したものを例に説明したが、これに限定されない。例えば、光輝層３１と、透明層３２との間に透明フィルムのような基材を有するものであってもよい。また、例えば、本実施形態で説明した光輝層３１の上に透明層３２を形成したものに対して、さらに、透明層３２の上に、透明フィルムのような基材を有するものであってもよい。
【００５２】
（５）本実施形態では、読取装置５が透明層３２のパターン画像から得たコードを特定できた場合に、本物であると判定して、特定したコードに基づく処理を行うものを例に説明したが、これに限定されない。さらに、特定できたコードと、カードに印刷されている情報とを照合して、真贋判定をしてもよい。
【００５３】
（６）本実施形態では、情報記録体３０を有するカード１０を、ＩＤ証を例に説明したが、これに限定されない。例えば、ゲームで使用するカード媒体であってもよい。また、カード媒体に限定するものではなく、チケット等、それ自体に金銭的な価値を有するが、コピー品は金銭的な価値を有さない紙媒体等の印刷物であってもよいし、セキュリティ保護のラベル等であってもよい。さらに、パスポート等の冊子体であってもよい。
（７）本実施形態では、パターン画像を印刷するものを例に説明したが、これに限定されない。転写や、レーザ描画等の印刷以外の手法で、パターン画像を形成するものであってもよい。
【００５４】
（８）本実施形態では、読取装置を、携帯端末を例に説明したが、これに限定されない。例えば、パーソナルコンピュータであってもよい。そして、読取部は、スキャナ等であってもよい。
【符号の説明】
【００５５】
５      読取装置
１０    印刷物
２１    照明光源
２３    カメラ
３０    情報記録体
３１    光輝層
３２    透明層
５０    制御部
６０    記憶部
６１ａ  制御プログラム
６１ｂ  変換アプリ
６３    コードテーブル
６５    読取部
Ｃ１，Ｃ２，Ｃｙ  画像
Ｃ１ａ  背景画像
Ｃ１ｂ  星形画像
【図１】
2019054380.tif 000003
【図２】
2019054380.tif 000004
【図３】
2019054380.tif 000005
【図４】
2019054380.tif 000006
【図５】
2019054380.tif 000007
【図６】
2019054380.tif 000008
【図７】
2019054380.tif 000009
【図８】
2019054380.tif 000010
【図９】
2019054380.tif 000011
【図１０】
2019054380.tif 000012
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
第１インキ層と、前記第１インキ層の上に形成される第２インキ層とを含む重畳画像を具備した情報記録体であって、
前記第１インキ層は、光輝材料で形成された有彩色の画像であり、
前記第２インキ層は、透明素材で形成され、規則性を有するパターン画像であり、
前記第１インキ層は、色の濃度差を読み取って情報を得ることができる濃淡パターン画像を含み、前記濃淡パターン画像は、前記第２インキ層の前記パターン画像とは異なるコード体系から成る画像であり、
前記透明素材は、観察角度によって反射光量の異なるように構成され、
前記重畳画像は、特定の観察角度によって前記第２インキ層を認識可能に形成されること、
を特徴とする情報記録体。
【請求項２】
請求項１に記載の情報記録体において、
前記第１インキ層は、絵柄画像と、背景画像とを含み、
前記背景画像は、前記濃淡パターン画像であり、
前記絵柄画像は、前記濃淡パターン画像ではないこと、
を特徴とする情報記録体。
【請求項３】
請求項２に記載の情報記録体において、
前記第２インキ層は、前記絵柄画像に重なる領域である未印刷領域を除いて形成されること、
を特徴とする情報記録体。
【請求項４】
請求項１から請求項３までのいずれかに記載の情報記録体において、
前記第１インキ層は、複数の色により形成され、少なくとも１つの色が前記光輝材料で形成されていること、
を特徴とする情報記録体。
【請求項５】
請求項１から請求項４までのいずれかに記載の情報記録体において、
前記光輝材料により形成された複数の色の各々は、前記光輝材料の材質及び含有量の異なるものであること、
を特徴とする情報記録体。
【請求項６】
（削除）
【請求項７】
請求項１から請求項５までのいずれかに記載の情報記録体において、
前記第２インキ層は、外部装置の読取部により読み取られて前記規則性に対応した変換処理をすることにより、コードに対応するデータが生成されるものであること、
を特徴とする情報記録体。
【請求項８】
請求項１から請求項５まで及び請求項７のうちのいずれかに記載の情報記録体を備える媒体。
【請求項９】
請求項１から請求項５まで及び請求項７のうちのいずれかに記載の情報記録体を備える冊子体。
【請求項１０】
請求項７に記載の情報記録体を、異なる位置に複数個配置した媒体であって、
少なくとも２つの前記情報記録体の前記第１インキ層は、絵柄画像と、背景画像とを含み、
前記少なくとも２つの前記情報記録体は、前記絵柄画像が異なるものであり、かつ、一の前記情報記録体から得られる前記データと、前記一の情報記録体を除く他の前記情報記録体から得られる前記データとが等しいものであること、
を特徴とする媒体。
【請求項１１】
請求項７に記載の情報記録体を、異なる位置に複数個配置した冊子体であって、
少なくとも２つの前記情報記録体の前記第１インキ層は、絵柄画像と、背景画像とを含み、
前記少なくとも２つの前記情報記録体は、前記絵柄画像が異なるものであり、かつ、一の前記情報記録体から得られる前記データと、前記一の情報記録体を除く他の前記情報記録体から得られる前記データとが等しいものであること、
を特徴とする冊子体。
【国際調査報告】
2019054380.tif 000013
2019054380.tif 000014
2019054380.tif 000015